(57)【特許請求の範囲】
【請求項１】
庫内に商品収納ラックを搭載したキャビネットの前面に片開き式の外扉、および庫内側に断熱内扉を備え、かつ断熱内扉を商品収納ラックの上部前面に開口した商品補給口の面域を覆う上部扉と、庫内下部の前面域を覆う下部扉とに上下二分した上で、その上部扉を外扉の背面に取付けて外扉と一緒に開け閉めするようにした自動販売機において、前記上部扉の横幅をその扉先端がキャビネットの前部側壁と干渉しないように短小寸法に割付けた上で、その先端部には後方へ折り畳み可能でストッパにより折り畳み姿勢に停止される可倒式の補助扉板を連結し、かつ該補助扉板を折り畳み方向にばね付勢し、前記ストッパによる補助扉板の折り畳み停止位置を、外扉を開閉する際にはばね付勢により折り畳まれた補助扉板の先端がキャビネットの前部側壁と干渉せず、外扉が閉じる直前に補助扉板の先端がキャビネットの庫内開口縁に当接するように定めたことを特徴とする自動販売機の扉装置。
【請求項２】
請求項１記載の扉装置において、補助扉板は、その取付基部をヒンジピン，捩じりコイルばねを介して上部扉に軸支連結した構造になり、外扉の開放時にはばね付勢により後方に折り畳み、外扉を閉じた際にキャビネットの庫内開口縁に押し当てて庫内を密閉するようようにしたことを特徴とする自動販売機の扉装置。
【発明の詳細な説明】
【０００１】
【発明の属する技術分野】
本発明は、缶，瓶，ボトル入り飲料商品を機内で保冷，ないし加温して販売するサーペンタイン式商品収納ラックを搭載した自動販売機の扉装置に関する。
【０００２】
【従来の技術】
頭記した缶飲料などを販売する自動販売機では、商品収納ラック（例えばサーペンタイン式商品収納ラック）を搭載したキャビネットの庫内に冷却／加熱ユニットを装備して商品収納ラックに収納した商品を保冷，ないし加温することから、断熱筐体としてなるキャビネットの前面には外扉のほかに、その庫内側に断熱内扉を備えて庫内を遮熱するようにしている。
【０００３】
また、自動販売機では日常のメンテナンス作業として商品収納ラックへの商品補給があり、この場合に前記の断熱内扉を全開し、庫内前面を開放したままの状態で商品補給作業を行うと、庫内からの冷気，暖気の漏れ量が多くなって冷却，加熱効率が悪化する。そこで、断熱内扉を商品収納ラック（サーペンタイン式商品収納ラック）の上部前面に開口した商品補給口の面域を覆う上部扉と、庫内下部の前面域を覆う下部扉とに二分割した上で、その上部扉を主扉の背面に取付けておき、商品補給時には外扉を開放することで、下部扉を閉じたまま上部扉のみを開いて商品収納ラックへの商品補給が行えるようにした構成のものが従来より実施されている。
【０００４】
図４はかかる分割内扉を備えた自動販売機の従来例の構成図であり、１は断熱筐体としてなる前面開放形のキャビネット、２はキャビネット１の前面に配した片開き式の外扉、２-1は商品取出口、３はキャビネット１の庫内に搭載したサーペンタイン式商品収納ラック、４は商品搬出シュータであり、外扉２の背面側には庫内前面を覆う上下二分割構造になる片開き式の断熱内扉５を備えている。なお、図示されてないがキャビネット１の庫内底部には冷却／加熱ユニットが搭載されている。
【０００５】
ここで、外扉２は商品見本を陳列するディスプレイ室を画成するともに、扉の裏側にコイン，紙幣処理装置などを装備したかなりの厚さを有する板金製の扉であり、その吊り元側がヒンジピン２ａを介してケース本体１の前端に軸支され、吊り元と反対の先端側に備えた錠付き扉ハンドルと連動するラッチ２ｂをキャビネット１の掛け金に引っかけて閉位置に鎖錠するようにしている。
【０００６】
一方、前記の断熱内扉５は商品収納ラック３の上部前面に開口している商品補給口３ａの前面域を覆う上部扉６と、庫内下部の前面を覆う下部扉７とに二分した上で、上部扉６は外扉２と一緒に開閉するように外扉のディスプレイ室背面扉２ｃに装着されている。なお、上部扉６，下部扉７は閉位置でキャビネット１の庫内開口端（キャビネットの断熱内箱の開口端面）の周縁に沿って敷設したガスケットに当接して庫内を密閉している。
【０００７】
【発明が解決しようとする課題】
ところで、前記した自動販売機の扉装置のように、断熱内扉５の上部扉６を外扉２の背面に取付けて外扉２と一緒に開け閉めするようにした構成では次に記すような問題点がある。すなわち、図５で示すように外扉２をそのヒンジピン２ａを支点に前方に開くと、外扉２の背面に取付けた断熱上部扉６の先端（吊り元と反対側）は図中に鎖線で表した円弧状軌跡Ｔに沿って移動する。なお、図中で８はキャビネット１の庫内開口端面に敷設したガスケットである。この図から判るように、外扉２の開閉に伴う上部扉６の先端の移動軌跡Ｔは、外扉２のヒンジピン２ａを中心とした曲率半径の円弧に沿って閉位置からキャビネット１の前部側壁１ａに接近するような経路を辿る。なお、この場合に移動軌跡Ｔの曲率半径は、断熱内扉６の厚さが大であるほど大きくなる。このために、上部扉６の先端とキャビネット１の前部側壁１ａとの間に十分な遊び間隙が確保されてないと、外扉２を開閉する際に上部扉６がキャビネット１に干渉（齧り）して開閉操作がスムーズに行えなくなる。そこで、従来では設計面で前記間隙をあらかじめ十分確保して上部扉６とキャビネット１との干渉（齧り）を避けるようにしているが、限られた庫内前部の開口スペースの範囲で十分な遊び間隙を確保するには、その分だけ断熱内扉５の板厚を薄くしなければならず、その結果として断熱性能にも悪影響を及ぼす。
【０００８】
本発明は上記の点に鑑みなされたものであり、その目的は前記課題を解決し、外扉の背面に取付けた断熱内扉の厚さを十分確保しつつ、その上部扉とキャビネットとの間の扉開閉に伴う干渉を巧みに回避して扉の開閉がスムーズに行えるように改良した自動販売機の扉装置を提供することにある。
【０００９】
【課題を解決するための手段】
上記目的を達成するために、本発明によれば、庫内に商品収納ラックを搭載したキャビネットの前面に片開き式の外扉、および庫内側に断熱内扉を備え、かつ断熱内扉を商品収納ラックの上部前面に開口した商品補給口の面域を覆う上部扉と、庫内下部の前面域を覆う下部扉とに上下二分した上で、その上部扉を外扉の背面に取付けて外扉と一緒に開け閉めするようにした自動販売機において、前記上部扉の横幅をその扉先端がキャビネットの前部側壁と干渉しないように短小寸法に割付けた上で、その寸法短小分を補完するように上部扉の先端部には後方へ折り畳み可能な可倒式の補助扉板を連結し、かつ該補助扉板を折り畳み方向にばね付勢し、前記ストッパによる補助扉板の折り畳み停止位置を、外扉を開閉する際にはばね付勢により折り畳まれた補助扉板の先端がキャビネットの前部側壁と干渉せず、外扉が閉じる直前に補助扉板の先端がキャビネットの庫内開口縁に当接するように定めるよう構成する（請求項１）ものとし、具体的には補助扉板を、その取付基部をヒンジピン，捩じりコイルばねを介して上部扉に軸支連結した構造となし、外扉の開放時にはばね付勢により後方に折り畳み、外扉を閉じた際にキャビネットの庫内開口縁に押し当てて庫内を密閉するようように構成する（請求項２）。
【００１０】
かかる構成で外扉を閉位置から前方に開くと、断熱内扉の上部扉に連結した補助扉板が付勢ばねのばね力で後方に折り畳まれる。したがって、上部扉，および補助扉板はキャビネットの前部側壁と干渉することなく、外扉と一緒にスムーズに開放できる。また、外扉を開放位置から押し込んでいくと、扉が閉じる直前に補助扉板の先端がキャビネットの庫内開口端面に突き当たり、ここからさらに外扉を押し込むと、補助扉板が断熱扉面と平行な姿勢に戻って庫内を密閉する。
【００１１】
【発明の実施の形態】
以下、本発明の実施の形態を図１(a),(b) および図２に基づいて説明する。なお、実施例の図中で図４，図５に対応する同一部材には同じ符号を付してその説明は省略する。
先ず、図１(a),(b) に外扉２の背面に装着した断熱用上部扉６の構造を示す。この実施例においては、上部扉６の横幅寸法Ａをキャビネット１の庫内開口端面の間口Ｂ（庫内開口部の周縁に沿って敷設したガスケット８の間の間隔）よりも短小な寸法に割付けした上で外扉２の吊り元側に寄せて装着し、外扉２を開いた際に上部扉６の先端がキャビネット１の前部側壁１ａと干渉しないように設定するとともに、上部扉６の先端（外扉２の吊り元（ヒンジピン２ａ）と反対側）には前記した寸法短小分を補完するように後方への折り畳みが可能な可倒式の補助扉板９が連結されている。
【００１２】
ここで、補助扉板９は、図１(b) ，図２で示すようにその取付基部がヒンジピン９ａを介して上部扉６ａに軸支連結され、かつヒンジピン９ａに嵌挿して上部扉６と補助扉板９との間に架け渡した付勢ばね（捩じりコイルばね）９ｂのばね力（矢印Ｆ）により上部扉６の後面から斜め後方に揺動して折り畳まれようにばね付勢されている。なお、９ｃは補助扉板９を折り畳み姿勢に停止させるストッパである。
【００１３】
かかる構成で、外扉２が閉じている図１の状態では、補助扉板９は図示のように上部扉６の扉面と平行な姿勢に保持されていて、その先端がガスケット８の端面に当接して庫内を密閉している。一方、商品収納ラックへの商品補給に際して外扉２を前方に開くと、補助扉板９はばね９ａの付勢によりヒンジピン９ａを支点として反時計方向に揺動し、図３で示すように後方（庫内側）へ突き出すような姿勢に折り畳まれる。これにより、外扉２のヒンジピン２ａを支点とした扉開放に伴う補助扉板９の先端は図３に鎖線で表す移動軌跡Ｔを辿るようになる。したがって、図５で述べたようなキャビネット１の前部側壁１ａとの不当な干渉（齧り）の発生はなく、前部側壁１ａから離れた内側を通過して上部扉６と一緒に開くようになる。
【００１４】
また、外扉２を開放位置から押し込んでいくと、前記の開放動作とは逆に全閉位置に到達する手前でまず補助扉板９の上下先端部がキャビネット１の庫内開口端縁に敷設したガスケット８に突き当たり、ここから外扉２をさらに押し込むと、その押し込み力により補助板９はその先端がガスケット８の端面上を摺動しながら折り畳み姿勢から図１(b) の閉塞姿勢に戻って庫内を密閉する。したがって、扉を閉じる行程でも上部扉６，および補助扉板９とキャビネット１の前部側壁１ａとが不当に干渉して扉の開閉を阻害するおそれはない。
【００１５】
【発明の効果】
以上述べたように、本発明の構成によれば、上下に二分割して外扉の背面に装着した断熱内扉の上部扉の横幅をその扉先端がキャビネットの前部側壁と干渉しないように短小寸法に割付けた上で、その先端部には後方へ折り畳み可能な可倒式の補助扉板を連結し、かつ該補助扉板を折り畳み方向にばね付勢し、前記ストッパによる補助扉板の折り畳み停止位置を、外扉を開閉する際にはばね付勢により折り畳まれた補助扉板の先端がキャビネットの前部側壁と干渉せず、外扉が閉じる直前に補助扉板の先端がキャビネットの庫内開口縁に当接するように定めるよう構成したことにより、従来の扉装置で問題となっていた扉開閉時における断熱内扉の上部扉とキャビネットとの干渉を回避でき、これにより断熱内扉の厚さを十分に確保しつつ、外扉と一緒に断熱内扉の上部扉をスムーズに開閉することができる。
【図面の簡単な説明】
【図１】本発明の実施例による扉装置の構成図であり、(a) はキャビネット全体の横断平面図、(b) は(a) 図における要部構造の拡大図
【図２】図１における補助扉板の平面図
【図３】図１の構成による扉開放時における補助扉板の挙動を表した動作説明図
【図４】本発明の実施対象となる上下二分割構造の断熱内扉を装備した自動販売機の扉開放状態の外観図
【図５】図４の自動販売機に採用した従来例の扉構造の横断平面図
【符号の説明】
１    キャビネット
２    外扉
２ａ  ヒンジピン
３    商品収納ラック
５    断熱内扉
６    上部扉
７    下部扉
８    ガスケット
９    補助扉板
９ａ  ヒンジピン
９ｂ  付勢ばね
【図１】
0003758436.tif 000002
【図２】
0003758436.tif 000003
【図３】
0003758436.tif 000004
【図４】
0003758436.tif 000005
【図５】
0003758436.tif 000006